(57)【要約】【課題】環境情報を考慮してアラーム設定を行うアラーム通知システム、アラーム通知作成方法、装置、プログラム及び記録媒体を提供する。【解決手段】アラーム機能を備えたアラーム装置と、アラーム日時の設定を行うアラーム設定管理サーバと、がネットワークを介して接続され、前記アラーム設定管理サーバは、アラーム通知日時と、環境情報を考慮するか否か、を少なくとも記憶するデータベースと、前記環境情報を考慮する場合は、取得した環境情報に基づいて、前記アラーム通知日時を修正して最適なアラーム通知日時を算出するアラーム日時算出手段と、前記算出されたアラーム日時を前記アラーム装置に送信する送信手段と、を備え、前記アラーム装置は、前記送信されたアラーム日時に従って、アラーム通知を行うアラーム通知手段を備えることを特徴とするアラーム通知システムである。【選択図】図１
2009186324.tif 000002
【特許請求の範囲】
【請求項１】
アラーム機能を備えたアラーム装置と、アラーム日時の設定を行うアラーム設定管理サーバと、がネットワークを介して接続され、
前記アラーム設定管理サーバは、
アラーム通知日時と、環境情報を考慮するか否か、を少なくとも記憶するデータベースと、
前記環境情報を考慮する場合は、取得した環境情報に基づいて、前記アラーム通知日時を修正して最適なアラーム通知日時を算出するアラーム日時算出手段と、
前記算出されたアラーム日時を前記アラーム装置に送信する送信手段と、を備え、
前記アラーム装置は、
前記送信されたアラーム日時に従って、アラーム通知を行うアラーム通知手段を備えることを特徴とするアラーム通知システム。
【請求項２】
前記データベースは、ユーザの勤務開始時間を少なくとも含む勤務スケジュール情報を記憶し、
前記アラーム日時算出手段は、前記勤務スケジュール情報にある勤務開始時間から一定の時間前を最適なアラーム通知日時として算出することを特徴とする請求項１記載のアラーム通知システム。
【請求項３】
前記勤務スケジュール情報は、ユーザの出勤ルート情報、利用する交通機関情報を少なくとも含み、
前記環境情報は、ネットワークを介して取得した天気情報、交通情報であり、
前記アラーム日時算出手段は、前記天気情報、交通情報を考慮し、交通機関の遅れ、天候により交通機関が変更する場合、に対応してアラーム通知日時を修正し、最適なアラーム日時として算出することを特徴とする請求項２記載のアラーム通知システム。
【請求項４】
前記アラーム日時算出手段は、前記勤務スケジュールに変更があった場合は、変更に応じて前記アラーム日時を修正し、最適なアラーム日時として算出することを特徴とする請求項２又は３記載のアラーム通知システム。
【請求項５】
前記送信手段は、前記環境情報に基づいてアラーム通知日時を修正した場合は、修正理由を前記アラーム装置に送信し、
前記アラーム装置は、前記送信された修正理由を表示する表示手段を備えることを特徴とする請求項１から４のいずれか１項記載のアラーム通知システム。
【請求項６】
前記データベースが記憶する情報は、前記ネットワークを介して接続されるユーザ端末から送信された情報であることを特徴とする請求項１から５のいずれか１項記載のアラーム通知システム。
【請求項７】
データベースに少なくとも記録されているアラーム通知日時と、環境情報を考慮するか否かについての情報に基づき、前記環境情報を考慮する場合は、取得した環境情報に基づいて、前記アラーム通知日時を修正し、最適なアラーム通知日時を算出するステップと、
前記算出されたアラーム日時を所定の外部装置に送信するステップと、を備えることを特徴とするアラーム通知作成方法。
【請求項８】
アラーム通知日時と、環境情報を考慮するか否か、を少なくとも記録するデータベースと、
前記環境情報を考慮する場合は、取得した環境情報に基づいて、前記アラーム通知日時を修正し、最適なアラーム通知日時を算出するアラーム日時算出手段と、
前記算出されたアラーム日時を所定の外部装置に送信する送信手段と、を備えることを特徴とするアラーム通知作成装置。
【請求項９】
データベースに少なくとも記録されているアラーム通知日時と、環境情報を考慮するか否かについての情報に基づき、前記環境情報を考慮する場合は、取得した環境情報に基づいて、前記アラーム通知日時を修正し、最適なアラーム通知日時を算出する処理と、
前記算出されたアラーム日時を所定の外部装置に送信する処理と、をコンピュータに実行させることを特徴とするアラーム通知作成プログラム。
【請求項１０】
請求項９記載のプログラムの処理を記録するコンピュータ読み取り可能な記録媒体。
【発明の詳細な説明】
【技術分野】
【０００１】
本発明は、アラーム通知システム、アラーム通知作成方法、装置、プログラム及び記録媒体に関し、特に環境情報を考慮してアラーム設定を行うアラーム通知システム、アラーム通知作成方法、装置、プログラム及び記録媒体に関する。
【背景技術】
【０００２】
アラーム機能を有する装置において、ユーザは任意にアラーム時間設定を行うことが出来る。アラーム通知は、目覚まし時計と連携して利用した装置や（特許文献１参照）、スケジュール通知と連携して利用した装置が知られている（特許文献２参照）。目覚まし時計としては、さらに、サマータイム制に対応し、アラーム設定時等に標準・サマータイムの切替え時刻を含んでいることを告知する目覚まし時計も知られている（特許文献３参照）。
【０００３】
ネットワークで接続された他の装置（カーナビ）で算出されたアラーム通知時間等のアラーム設定内容を、前記ネットワークを介して携帯端末装置に通知し、前記携帯端末装置上でアラーム通知を行うナビゲーションシステムや情報提供システムも知られている（特許文献４、５参照）。特許文献４及び５には、カーナビで目的地や到着予定時間を予め設定した場合に、最適な出発日時を算出し、報知するカーナビ装置が記載されている。カーナビ装置から、ネットワークを介して前記最適な出発日時をユーザの携帯端末に通知することが出来る。
【特許文献１】特開平８−８２６８７号公報
【特許文献２】特開平８−２４９２８８号公報
【特許文献３】特開２００５−２４１４９８号公報
【特許文献４】特開平１１−１４２１７９号公報
【特許文献５】特開平１１−１７５８７８号公報
【発明の開示】
【発明が解決しようとする課題】
【０００４】
しかしながら、上記のような技術には、以下の問題点がある。目覚まし時計の起床時間のアラーム設定は、例えば、夜勤や遅番なら遅めの時間を手動で設定し、また、通常勤務に戻ると、アラーム設定を手動で変更しなければならなかった。さらに、休日や夜勤明けでアラームを鳴らさないようにするには、アラーム解除を事前に手動で行わなければならなかった。このように、勤務時間が不規則であると、その度に、設定変更をしなければならず、煩わしいという問題があった。
【０００５】
特許文献１乃至３記載のアラーム機能を備える装置は、天候や渋滞等の環境情報を考慮した所要時間計算についての示唆は無い。特許文献４及び５に記載されたシステムは、カーナビゲーションと連動した出発時刻通知に関する発明であり、計画された行程に対しての所要時間推定と希望する時刻に対して出発しなければならない時刻をユーザの携帯端末装置に通知するのみである。特許文献４及び５に記載の発明は、目的地までのルートが不明な場合に、目的地、出発地点、到着時間等の入力を行い、移動にかかる時間を求めることを目的としている。従って、上述したようなアラーム設定変更の煩わしさを解決することは、上記特許文献１乃至５記載の発明では想定されていなかった。
【０００６】
本発明はこのような状況に鑑みてなされたものであり、環境情報を考慮してアラーム設定を行うことを目的とする。
【課題を解決するための手段】
【０００７】
本発明の第１のアラーム通知システムは、アラーム機能を備えたアラーム装置と、アラーム日時の設定を行うアラーム設定管理サーバと、がネットワークを介して接続され、前記アラーム設定管理サーバは、アラーム通知日時と、環境情報を考慮するか否か、を少なくとも記憶するデータベースと、前記環境情報を考慮する場合は、取得した環境情報に基づいて、前記アラーム通知日時を修正して最適なアラーム通知日時を算出するアラーム日時算出手段と、前記算出されたアラーム日時を前記アラーム装置に送信する送信手段と、を備え、前記アラーム装置は、前記送信されたアラーム日時に従って、アラーム通知を行うアラーム通知手段を備えることを特徴とする。
【０００８】
本発明の第１のアラーム通知作成方法は、データベースに少なくとも記録されているアラーム通知日時と、環境情報を考慮するか否かについての情報に基づき、前記環境情報を考慮する場合は、取得した環境情報に基づいて、前記アラーム通知日時を修正し、最適なアラーム通知日時を算出するステップと、前記算出されたアラーム日時を所定の外部装置に送信するステップと、を備えることを特徴とする。
【０００９】
本発明の第１のアラーム通知作成装置は、アラーム通知日時と、環境情報を考慮するか否か、を少なくとも記録するデータベースと、前記環境情報を考慮する場合は、取得した環境情報に基づいて、前記アラーム通知日時を修正し、最適なアラーム通知日時を算出するアラーム日時算出手段と、前記算出されたアラーム日時を所定の外部装置に送信する送信手段と、を備えることを特徴とする。
【００１０】
本発明の第１のアラーム通知作成プログラムは、データベースに少なくとも記録されているアラーム通知日時と、環境情報を考慮するか否かについての情報に基づき、前記環境情報を考慮する場合は、取得した環境情報に基づいて、前記アラーム通知日時を修正し、最適なアラーム通知日時を算出する処理と、前記算出されたアラーム日時を所定の外部装置に送信する処理と、をコンピュータに実行させることを特徴とする。
【００１１】
本発明の第１の記録媒体は、本発明の第１のアラーム通知作成プログラムの処理を記録するコンピュータ読み取り可能な記録媒体である。
【発明の効果】
【００１２】
本発明によれば、環境情報を考慮してアラーム設定を行うことが出来る。
【発明を実施するための最良の形態】
【００１３】
以下に、本発明の実施形態について図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１４】
本発明は、勤務時間が早番や遅番、あるいは夜勤などで起床時間が一定で無い場合において、アラーム自動設定管理サーバ上に、勤務管理表等の勤務時間を登録し、勤務開始時間にあわせた日付毎の起床時間アラーム設定情報を作成し、その後、通信機能を有した自動設定目覚まし時計に、インターネットを介してアラーム自動設定管理サーバから、起床時間アラーム設定情報を転送し、次に、自動設定目覚まし時計側で、前記起床時間アラーム設定情報に従って、日付毎の起床時間のアラーム設定を自動的に行うことを特徴とする。また、アラーム自動設定管理サーバで天気予報の情報を収集して悪天候時には起床時間を早めたり、あるいは、前記アラーム自動設定管理サーバで交通情報を収集し例えば電車事故でダイヤが乱れているときには起床時間を早めたりすることも可能な起床時間の自動設定を行う。これにより、日付毎に起床時間を設定しなおす手間を省き、また、設定忘れで遅刻等を未然に防止することが出来る。以下、さらに詳述する。
【００１５】
本発明の実施形態に係るアラーム通知システムは、インターネット３００を介して、ユーザ端末１００と、アラーム自動設定管理サーバ４００と、自動設定目覚まし時計２００と、から構成される。
【００１６】
自動設定目覚まし時計２００はアラーム装置の一例である。ユーザ端末（パーソナルコンピュータ等の情報処理装置、携帯端末装置等）は、後述するアラーム設定情報を入力する際に必要となる端末である。アラーム装置（例えば、目覚まし時計）を家の中に置いている場合でも、外出先でユーザ端末から後述するアラーム設定を行うことが出来る。昨今は、携帯端末にアラーム機能が附属し、携帯端末のアラーム機能を起床アラームに用いることもあるため、自動設定目覚まし時計機能を有したユーザ端末とすれば、アラーム機能付きのユーザ端末と、アラーム自動設定管理サーバと、から構成されるシステムとしても良い。後述する第２の実施形態においても同様である。
【００１７】
インターネット３００には、一般公開されている環境情報を有するサーバが接続されている。本実施形態では、環境情報を有するサーバの一例として、天気情報公開WEBサーバ５００と、交通情報公開WEBサーバ５０１を構成とする。天気情報公開WEBサーバ５００と交通情報公開WEBサーバ５０１は、一般的にインターネット３００で情報を常時公開しているサーバである。
【００１８】
上述した構成の一例を図１に示す。
【００１９】
ユーザ端末１００はパーソナルコンピュータ、または携帯電話等の携帯端末である。インターネット３００を介してアラーム自動設定管理サーバ４００と接続し、勤務開始時間の入力や各種オプションを設定する機能を有する。
【００２０】
アラーム自動設定管理サーバ４００の構成を図２に示す。アラーム自動設定管理サーバ４００は、通信機能部４０７、入力管理部４０１、起床時間算出部４０２、設定情報データベース（ＤＢ）４０３、情報収集機能部４０４、天気情報ＤＢ４０５、交通情報ＤＢ４０６で構成されている。
【００２１】
アラーム自動設定管理サーバ４００は、勤務開始時間から起床時間を算出してインターネット３００を介して自動設定目覚まし時計２００へ起床時間を送信する情報処理装置である。
【００２２】
また、アラーム自動設定管理サーバ４００は、入力管理部４０１によりユーザからの情報入力を管理する機能、起床時間算出部４０２により起床時間の算出する機能、設定情報データベース４０３により勤務時間や各種パラメータを保持する機能、情報収集機能部４０４により一般公開されている天気予報公開WEBサーバや交通事象公開WEBサーバから情報の収集する機能、天気情報データベース４０５により天気情報を蓄えておく機能、交通情報データベース４０６により交通情報を蓄えておく機能、通信機能部４０７によりインターネットと通信する機能を備える。
【００２３】
自動設定目覚まし時計２００の構成を図３に示す。自動設定目覚まし時計２００は、通信機能部２０１、表示部２０５、アラーム設定機能部２０４、アラーム鳴動部２０６で構成され、指定時間にアラームを鳴らす時計である。
【００２４】
通信機能部２０１は、インターネットと通信する機能を有する。表示部２０５は、警告ランプあるいは液晶ディスプレイ等の文字図形等を表示できるもので構成され、現在時間、注意や警告事項等を表示する機能をする。また、表示部２０５は、ランプとディスプレイどちらかでも、ランプとディスプレイの組み合わせでも良い。現在時間表示は一般的な時計でも良い。
【００２５】
アラーム設定機能部２０４は、日付毎の起床時間２０２から目覚まし時間のアラーム設定をする自動で行う機能を有する。アラーム鳴動部２０６は、指定時間にベル音やアラーム音等を鳴らす機能を有する。
【００２６】
次に、本発明の実施形態に係るアラーム通知システムの動作処理について説明する。図７は、本実施形態の動作処理を示すフローチャートである。まず、ユーザ端末１００は、インターネット３００を介してアラーム自動設定管理サーバ４００へ接続し、勤務開始時間と各種設定を要求する。
【００２７】
この際、事前にユーザ登録を済ませたユーザのみのサービスとする場合は、図７のフローチャートに示すように、ユーザ端末１００からログインして、アラーム自動設定管理サーバ４００の入力管理４０１にてユーザ認証が必要となる（図７  ステップＳ１、Ｓ２）。入力管理４０１にてユーザ認証が許可されると、アラーム自動設定管理サーバ４００は、ユーザ端末１００の要求を受けて動作する。
【００２８】
アラーム設定管理サーバ４００は、入力管理４０１から、例えば図４に示すような設定画面（勤務表画面ａ、オプション設定画面ｂ）を、通信機能部４０７とインターネット３００を介してユーザ端末１００に提供する（ステップＳ３）。ユーザは、勤務管理表等から、ユーザ端末３００に表示された、日付毎の勤務時間情報画面ａに情報を入力し、登録する（ステップＳ４）。
【００２９】
さらに、オプション設定画面ｂでは、
・勤務時間から何分前に起きる
・天気情報を考慮する、早める時間、地域情報
・交通情報を考慮する、早める時間、路線情報
等を月単位で設定することも出来る。
【００３０】
上記入力された設定情報は、インターネット３００、通信機能部４０７、入力管理部４０１を介して設定情報データベース４０３に送られる。これにより、設定情報データベース４０３は、上記勤務時間と上記パラメータ情報を蓄える（ステップＳ５）。
【００３１】
起床時間算出部４０２は、設定情報データベースに記憶された設定情報に基づき、起床時間を算出する（ステップＳ６）。具体的には、勤務時間の開始時間からオプション設定画面ｂで設定した「勤務時間から何分前に起きる」の情報を元に起床時間を算出して、日付毎の起床時間アラーム設定情報を自動的に作成する。
【００３２】
起床時間算出部４０２で作成した日付毎の起床時間アラーム設定情報は、通信機能４０７とインターネット３００を介して自動設定目覚まし時計２００に送信される。
【００３３】
自動設定目覚まし時計２００は、送信された起床時間を、アラーム設定機能部２０４で設定する（ステップＳ７）。
【００３４】
アラーム自動設定管理サーバ４００は、通信機能４０７によりインターネット３００を介して、一般公開されている天気情報公開WEBサーバ５００や交通情報公開WEBサーバ５０１バから、天気情報や交通情報を取得し、天気情報データベース４０５、交通情報データベース４０６に保持する（ステップ８）。例えば、オプション設定画面ｂで設定された地域の天気情報を取得し、天気情報データベース４０５へ格納したり、オプション設定画面ｂで設定した路線情報の交通情報を取得し、交通情報データベース４０６に保持したり等して、最新の情報をデータベースに保持する。
【００３５】
オプション設定画面ｂで「天気情報を考慮する」と設定された場合には、天気情報データベース４０５から雪などの悪天候を判断すると、起床時間算出部４０２で、オプション設定画面ｂの「早める時間」に従って、起床時間を早めた起床時間アラーム設定情報を再作成し、自動設定目覚まし時計２００にインターネット３００を介して送信する（ステップＳ９、Ｓ１０）。
【００３６】
悪天候の判断基準は、例えば図９に示す天気情報の判断基準を参照して説明する。図９は、気象台から発表される防災気象情報の種類（気象警報・注意報等）の一覧を示す図である。気象台から発表される防災気象情報には、気象注意報、気象警報などがある。このなかで、オプション設定画面ｂで設定した地域の気象警報の大雨、洪水、大雪、暴風、暴風雪、波浪、高潮の各警報が発表された場合に、気象時間算出部４０２にて悪天候と判断するようにする。
【００３７】
同様に、ユーザがオプション設定画面ｂで「交通情報を考慮する」と設定した場合には、交通情報データベース４０６からダイヤの乱れを判断し、起床時間算出部４０２で、オプション設定画面ｂの「早める時間」に従って、起床時間を早めた起床時間アラーム設定情報を再作成し、自動設定目覚まし時計２００にインターネット３００を介して送信する（ステップＳ９、Ｓ１０）。
【００３８】
ダイヤの乱れの判断基準は図８に示すような交通情報の判断基準を参照して説明する。図８に示すような各路線の運転状況等に関する交通情報はweb（交通情報公開WEBサーバ５０１）で公開されている。オプション設定画面ｂで設定された通路経路の“平常運転”以外の「列車遅延」や「災害に伴う運転見合わせ」等をキーにして検索し、ダイヤの乱れを自動的に検出する。
【００３９】
次に、自動設定目覚まし時計２００は、通信機能部２０１よりインターネット３００から送られてくる日付毎の起床時間アラーム設定情報を受信し、日付毎の起床時間２０２と付加情報２０３を入手する。
【００４０】
上記日付毎に設定された起床時間２０２に従って、アラーム設定機能２０４が自動的に起床時間のアラーム設定を行い、アラーム鳴動部２０６は、指定時間にベル音やアラーム音等を鳴らす（ステップＳ１１）。
【００４１】
天気情報や交通情報で通常より早く起床時間となった場合には、なぜ早めにアラームがなったのかをユーザに知らせるために、自動設定目覚まし時計２００の表示部分２０５に、天気情報にようものならば“天気事情注意“を、交通情報によるものならば”交通事情注意“を示すランプを点灯させたり、表示機能を設けて天候によるものであれば、例えば、“悪天候”等を表示させたりしてユーザに知らせる（ステップＳ１２）。
【００４２】
なお、ネットワーク障害等で、天気情報や交通情報が更新できないような場合には、“天気事情注意”あるいは“交通事情注意”のランプを点滅させたり、表示機能がある場合、“障害発生”などと表示させたりしてユーザに知らせる（図３参照）。
【００４３】
翌月の予定についても、同様に設定入力していく（ステップＳ１３、Ｓ１４）
【００４４】
上記実施形態により、アラーム自動設定管理サーバ４００で勤務時間から起床時間のアラーム設定を日付毎に作成して目覚まし時計２００に自動的に設定するため、起床時間が不規則な場合でも最適な起床時間のアラーム設定が自動的に出来る。勤務時間が不規則なため起床時間が不規則な場合に、毎日の起床時間の設定を自動的に行うことで、ユーザが毎日手動で変更する煩わしさを省くことが出来る。
【００４５】
また、起床時間のアラーム設定を作成するとき、情を一般公開しているWEBサーバから取得した天気予報の情報や交通情報を考慮し、アラーム設定時間を作成するため、天気情報や、交通情報から必要に応じて起床時間を早め、遅刻を未然に防止することが出来る。
【００４６】
なお、環境情報は、交通情報や天気情報だけに限られたものではない。アラーム自動設定サーバ４００は、ユーザの交通手段等に合わせて随時必要な情報を取得し、アラーム鳴動前（起床時間前）に変化があれば様々な事情を考慮し、アラーム時間を再計算して通知する。例えば車で通勤している場合、大雪になるとスタットレスタイヤに交換して出勤する必要がある。かかるタイヤ交換時間を確保するためには、起床時間を早める必要がある。このように、状況変化を自動的に判断して起床時間を決定することを特徴とする。
【００４７】
また、勤務先の勤務スケジュール管理サーバ等がネットワークを介して接続された場合は、ユーザがユーザ端末でアラーム設定を行わなくとも、一人ひとりの起床時間について、常に勤務形態に適したアラーム設定をすることが出来る。
【００４８】
また、夜勤明け等で、アラームを鳴らさなくすることも自動的に行うことが出来る。さらに、連休の場合はアラームを鳴らさないよう設定することも出来る。連休で家に不在の場合に、アラーム解除忘れで鳴り続けると、アパート等の場合は隣室に迷惑をかけるため、これを防止することが出来る。
【００４９】
また、連休中はアラームを鳴らないようにしていても、連休明けで通常業務に戻ったときには、アラーム自動設定サーバ４００側に登録されているユーザの勤務情報を考慮し、自動的にアラームが鳴るように設定され、設定忘れを防止することも出来る。
【００５０】
勤務スケジュールが急に変更になった場合は、ユーザ以外の管理者等が勤務スケジュール管理サーバ等のスケジュールを変更して、アラーム設定も変更し、最適な時間にユーザを起こすことも出来る。
【００５１】
本発明に係る他の実施形態について図５を用いて説明する。図５は本実施形態に係るアラーム通知システムの全体構成図である。図５に示すように、ユーザ端末１００、アラーム自動設定管理サーバ４００、天気情報公開WEBサーバ５００、交通情報公開WEBサーバ５０１が、インターネット３００を介して接続されている。また、アラーム自動設定管理サーバ４００と携帯電話（固定電話）７００が、発信機能４０８と通信機能７０２により電話回線（無線を含む）で接続されている。このように、本実施形態では、自動設定目覚まし時計２００ではなく、携帯電話７００にアラーム通知を行う。
【００５２】
ユーザ端末１００はパーソナルコンピュータ、または携帯電話等の携帯端末である。インターネット３００を介してアラーム自動設定管理サーバ４００ａと接続し、勤務開始時間の入力や各種オプションを設定する機能を有する。
【００５３】
本実施形態に係るアラーム自動設定管理サーバ４００ａは、通信機能部４０７ａ、入力管理部４０１ａ、起床時間算出部４０２ａ、設定情報ＤＢ４０３ａ、情報収集機能部４０４ａ、天気情報ＤＢ４０５ａ、交通情報ＤＢ４０６ａ、通信機能４０７ａ、電話回線に接続する発信機能部４０８ａから構成されている。勤務開始時間から起床時間を算出して発信機能部４０８ａで電話回線を介して携帯電話（固定電話）７００へ起床時間を送信する。
【００５４】
また、アラーム自動設定管理サーバ４００ａは、以下の機能を有する。
１）ユーザからの情報入力を管理する機能（入力管理部４０１）
２）起床時間の算出する機能（起床時間算出部４０２）
３）勤務時間、各種パラメータを保持する機能（設定情報ＤＢ４０３）
４）一般公開されている天気予報公開WEBサーバや交通事象公開WEBサーバから情報の収集する機能（情報収集機能部４０４）
５）天気情報を蓄える機能(天気情報ＤＢ４０５)
６）交通情報を蓄える機能(交通情報ＤＢ４０６)
７）インターネットと通信する機能(通信機能部４０７)
８）電話回線に発信機能（発信機能部４０８）
９）音声案内機能（音声案内部４０９）
【００５５】
なお、図５に示す本実施形態に係るアラーム自動設定管理サーバ４００ａの構成は、図２に示すアラーム自動設定管理サーバ４００の構成に、電話回線と接続する発信機能部４０８と音声案内部４０９を新たに備えたものであって、電話回線を介して携帯電話（固定電話）７００にアラーム通知（起床時間のアラーム通知、モーニングコール）が可能となる。
【００５６】
起床時間算出部４０２ａで、勤務時間の開始時間からユーザの設定である「勤務時間から何分前に起きる」の情報を元に起床時間を算出した日付毎の起床時間アラーム設定情報に基づき、図６に示すオプション設定画面ｂに設定した「携帯電話(固定電話)へ連絡する」の連絡先に、起床時間になったら、発信機能部４０８から携帯電話(固定電話)７００の通信機能部７０２に発信することで、モーニングコールを行う。
【００５７】
また、起床時間算出部４０２ａで作成される日付毎の起床時間アラーム設定情報は、オプション設定画面ｂで「天気情報を考慮する」と設定した場合には、天気情報ＤＢ４０５ａから雪などの悪天候と自動的に判断する。起床時間算出部４０２ａで、オプション設定画面ｂの「早める時間」に従って、起床時間を早めた起床時間アラーム設定情報を再作成する。起床時間になったら、図６に示すオプション設定画面ｂに設定した「携帯電話(固定電話)へ連絡する」の連絡先に、発信機能４０８から携帯電話（固定電話）７００に発信することで、モーニングコールを行う。
【００５８】
また、オプション設定画面ｂで「交通情報を考慮する」と設定した場合には、交通情報ＤＢ４０６ａからダイヤの乱れを自動的に判断する。起床時間算出部４０２ａで、オプション設定画面ｂの「早める時間」に従って、起床時間を早めた起床時間アラーム設定情報を再作成する。図６に示すオプション設定画面ｂに設定した「携帯電話(固定電話)へ連絡する」の連絡先に、発信機能４０８から携帯電話(固定電話)７００に発信することで、モーニングコールを行う。
【００５９】
また、天気情報や交通情報で通常より早く起床時間となった場合には、なぜ早めにアラームがなったのかをユーザに知らせるために、携帯電話(固定電話)７００の表示部７０１に理由を表示することが可能である。例えば天候によるものであれば、“悪天候”等を表示し、ユーザに知らせる。
【００６０】
また、アラーム自動設定管理サーバ４００ａからの電話回線を介した通知に対し、電話を取った場合には、音声案内部４０９から、天候によるものであれば“悪天候により早めの起床”等のメッセージを流すようにすることも出来る。天気情報の悪天候や交通情報のダイヤの乱れの判断基準は、上記実施形態と同様である。
【００６１】
なお、図７のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００６２】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００６３】
【図１】本発明の実施形態に係るアラーム通知システムの全体構成図である。
【図２】本発明の実施形態に係るアラーム自動設定管理サーバ４００の構成図である。
【図３】本発明の実施形態に係る自動設定目覚まし時計２００の構成図である。
【図４】本発明の実施形態に係る設定画面のイメージ図である。
【図５】本発明の実施形態に係るアラーム通知システムの全体構成図である。
【図６】本発明の実施形態に係る設定画面のイメージ図である。
【図７】本発明の実施形態に係るアラーム通知システムの動作処理を示すフローチャートである。
【図８】本発明の実施形態に係るアラーム時間設定の際に参照する交通情報の判断基準の一例を示す図である。
【図９】本発明の実施形態に係るアラーム時間設定の際に参照する天気情報の判断基準の一例を示す図である。
【符号の説明】
【００６４】
３００    インターネット
１００    ユーザ端末
２００    自動設定目覚まし時計
２０１    通信機能部
２０２    起床時間
２０３    付加情報
２０４    アラーム設定機能部
２０５    表示部
２０６    アラーム鳴動部
４００、４００ａ    アラーム自動設定管理サーバ
４０１、４０１ａ    入力管理部
４０２、４０２ａ    起床時間算出部
４０３、４０３ａ    設定情報ＤＢ
４０４、４０４ａ    情報収集機能部
４０５、４０５ａ    天気情報ＤＢ
４０６、４０６ａ    交通情報ＤＢ
４０７、４０７ａ    通信機能部
４０８    発信機能部
４０９    音声案内部
５００    天気情報公開WEBサーバ
５０１    交通情報公開WEBサーバ
７００    携帯電話
７０１    表示機能部
７０２    通信機能部
【図１】
2009186324.tif 000003
【図２】
2009186324.tif 000004
【図３】
2009186324.tif 000005
【図４】
2009186324.tif 000006
【図５】
2009186324.tif 000007
【図６】
2009186324.tif 000008
【図７】
2009186324.tif 000009
【図８】
2009186324.tif 000010
【図９】
2009186324.tif 000011